(57)【要約】【課題】  使用者の手を煩わせることなく、入力された音声を容易に調整できるようにする。【解決手段】  個人を識別する識別情報がカード１０からマイクロホン１００へ送信されると、識別情報がマイクロホン１００およびカラオケ装置２００を介してセンタ装置４００へ送信される。センタ装置４００において識別情報が受信されると、受信された識別情報に対応付けて記憶されている加工情報がカラオケ装置２００を介してマイクロホン１００へ送信される。マイクロホン１００にて加工情報が受信されると、マイクロホン１００においては、受信された加工情報に従って音声信号が加工されて出力される。【選択図】      図１
2006171083.tif 000002
【特許請求の範囲】
【請求項１】
個人を識別する識別情報を取得する取得手段と、
前記取得手段により取得された識別情報を出力する識別情報出力手段と、
音声信号を出力するマイクユニットと、
前記識別情報出力手段からの出力に応答して送信される情報であって、前記音声信号を加工するための加工情報を受信する受信手段と、
前記マイクユニットから出力された音声信号を、前記受信手段により受信された加工情報に従って加工し、加工された音声信号を出力する音声信号出力手段と
を有するマイクロホン。
【請求項２】
前記取得手段は、前記識別情報を記憶した無線ＩＣチップと無線通信を行い、該無線ＩＣチップに記憶された識別情報を取得することを特徴とする請求項１に記載のマイクロホン。
【請求項３】
前記取得手段は、個人を特定する生体情報を取得し、該取得した生体情報を識別情報として出力することを特徴とする請求項１に記載のマイクロホン。
【請求項４】
個人を識別する識別情報を取得する取得手段と、
前記取得手段により取得された識別情報を出力する識別情報出力手段と、
音声信号を出力するマイクユニットと、
前記音声信号を加工するための加工情報を受信する加工情報受信手段と、
前記マイクユニットから出力された音声信号を、前記加工情報受信手段により受信された加工情報に従って加工し、加工された音声信号を出力する音声信号出力手段と
を有するマイクロホンと、
前記識別情報と、前記加工情報とを対応付けて記憶する記憶手段と、
前記識別情報出力手段から出力された識別情報を受信する識別情報受信手段と、
前記識別情報受信手段により受信された識別情報に対応付けて記憶されている加工情報を前記記憶手段から読出す、読出し手段と、
前記読出し手段により読出された加工情報を前記加工情報受信手段へ送信する加工情報送信手段と
を有するマイクロホンシステム。
【発明の詳細な説明】
【技術分野】
【０００１】
本発明は、音声を加工して出力するマイクロホンシステムに関する。
【背景技術】
【０００２】
カラオケ装置においては、カラオケ装置の本体またはリモコン装置などを操作することにより、音量は勿論、キーやエコーなどをユーザの好みに応じて可変することが可能となっている。これら調整項目の調整量はユーザ毎に異なるため、大勢でカラオケを楽しむような場合には、ユーザは自分の好みに合わせて各種項目を調整しなくてはならない。
さて、各種調整項目の調整値はユーザ毎に異なるため、ユーザは所望した楽曲の演奏が始まり、自身が歌う順番となってから各種項目を調整することとなるが、装置本体の場所まで行って各種項目を調整したり、リモコンを探して各種項目を調整したりするのは、非常に面倒である。そこで、このような問題を解決する技術として、特許文献１に開示されているマイクロホンがある。特許文献１に開示されているマイクロホンにおいては、音量の調整やエコーの調整を行うボタンがマイクロホン本体に配設されており、ユーザはこれらのボタンを操作することにより、装置本体やリモコン装置を使用することなく、手元で容易に各種調整を行うことが可能となっている。
【特許文献１】特開平７−２１２８８６号公報
【発明の開示】
【発明が解決しようとする課題】
【０００３】
ところで、特許文献１に開示されたマイクロホンは、マイクロホン本体に配設されたボタンを操作することにより、音量やエコーなどを調整することが可能となっているが、各項目に対応して複数のボタンが配設されているため、操作に手間取り、歌い始めるまでに各種項目の調整を終えられない虞がある。また、大勢でカラオケを楽しむ場合には、複数人が交代で歌うこととなるが、このような場合、順番が回ってくるたびに再び調整をしなければならず、ユーザにとって使い勝手がよくないという問題があった。
【０００４】
本発明は、上述した背景の下になされたものであり、使用者の手を煩わせることなく、入力された音声を容易に調整できる技術を提供することを目的とする。
【課題を解決するための手段】
【０００５】
上述した課題を解決するために本発明は、個人を識別する識別情報を取得する取得手段と、前記取得手段により取得された識別情報を出力する識別情報出力手段と、音声信号を出力するマイクユニットと、前記識別情報出力手段からの出力に応答して送信される情報であって、前記音声信号を加工するための加工情報を受信する受信手段と、前記マイクユニットから出力された音声信号を、前記受信手段により受信された加工情報に従って加工し、加工された音声信号を出力する音声信号出力手段とを有するマイクロホンを提供する。
本発明においては、個人を識別する識別情報が取得されると、取得された識別情報が出力される。そして、この出力された情報への応答として送信された加工情報を受信すると、マイクユニットから出力された音声信号が、受信された加工情報に従って加工されて出力される。
【０００６】
本発明の好ましい態様においては、前記取得手段は、前記識別情報を記憶した無線ＩＣチップと無線通信を行い、該無線ＩＣチップに記憶された識別情報を取得するようにしてもよい。また、前記取得手段は、個人を特定する生体情報を取得し、該取得した生体情報を識別情報として出力するようにしてもよい。
【０００７】
また本発明は、個人を識別する識別情報を取得する取得手段と、前記取得手段により取得された識別情報を出力する識別情報出力手段と、音声信号を出力するマイクユニットと、前記音声信号を加工するための加工情報を受信する加工情報受信手段と、前記マイクユニットから出力された音声信号を、前記加工情報受信手段により受信された加工情報に従って加工し、加工された音声信号を出力する音声信号出力手段とを有するマイクロホンと、前記識別情報と、前記加工情報とを対応付けて記憶する記憶手段と、前記識別情報出力手段から出力された識別情報を受信する識別情報受信手段と、前記識別情報受信手段により受信された識別情報に対応付けて記憶されている加工情報を前記記憶手段から読出す、読出し手段と、前記読出し手段により読出された加工情報を前記加工情報受信手段へ送信する加工情報送信手段とを有するマイクロホンシステムを提供する。
本発明においては、個人を識別する識別情報がマイクロホンにて取得されると、取得された識別情報がマイクロホンから出力され、識別情報受信手段により受信される。識別情報受信手段により識別情報が受信されると、受信された識別情報に対応付けて記憶されている加工情報が記憶手段から読出され、読出された加工情報がマイクロホンの加工情報受信手段へ送信される。マイクロホンの加工情報受信手段により加工情報が受信されると、マイクユニットから出力された音声信号が、受信された加工情報に従って加工されて出力される。
【発明の効果】
【０００８】
本発明によれば、使用者の手を煩わせることなく、入力された音声を容易に調整することができる。
【発明を実施するための最良の形態】
【０００９】
［実施形態の構成］
以下、図面を参照しつつ、本発明の実施形態について説明する。図１は、本発明の実施形態に係る、通信型のカラオケシステムの全体構成を示した図である。ＩＣカード１０−１〜ＩＣカード１０−３は、無線ＩＣチップを備えた非接触式のＩＣカードであり、カードの所有者を一意に識別する識別情報を記憶している（各ＩＣカードの構成は各々同じであるため、以下、各ＩＣカードを区別する必要がない場合にはＩＣカード１０と称する）。ＩＣカード１０は、マイクロホン１００と無線通信を行い、記憶している識別情報をマイクロホン１００へ送信する。
【００１０】
マイクロホン１００は、カラオケ装置２００に接続されており、入力される音声に応じて音声信号を生成して出力する。マイクロホン１００のハードウェア構成を図２に示す。図２に示したようにマイクロホン１００においては、マイクユニット１０８以外の各部がバス１０１に接続されている。ＣＰＵ１０２は、ＲＯＭ１０３に記憶されている制御プログラムに従い、バス１０１を介して各部を制御する。ＩＣカード通信部１０７は、ＩＣカード１０と通信を行うインターフェースとして機能する。具体的には、ＩＣカード通信部１０７は、アンテナ（図示略）から電波を発し、ＩＣカード１０に電力を供給する。この電波を受信したＩＣカード１０から識別情報が送信されると、この識別情報がＩＣカード通信部１０７にて受信され、ＲＡＭ１０４に格納される。マイクユニット１０８は、入力された音声を音声信号に変換して音声処理部１０５へ出力する。音声処理部１０５は、ＣＰＵ１０２の制御の下、マイクユニット１０８から供給された音声信号を加工してエコーの付加などを行い、加工された音声信号をＩ／Ｆ（InterFace）部１０６へ出力する。Ｉ／Ｆ部１０６は、ケーブル（図示略）によりカラオケ装置２００に接続されており、音声信号の出力や、カラオケ装置２００との間で各種データの授受を行うインターフェースとして機能する。
【００１１】
センタ装置４００は、通信ネットワーク３００に接続されており、ＨＤＤ（Hard Disk Drive）装置や、通信インターフェース、ＣＰＵ、ＲＯＭ、ＲＡＭ等（いずれも図示略）を備えている。センタ装置４００のＨＤＤ装置は、ＣＰＵにより実行されるプログラムや、カラオケ装置２００で演奏される楽曲を表す曲データを記憶している。センタ装置４００のＣＰＵは、このＨＤＤ装置またはＲＯＭに記憶されているプログラムに従って動作する。センタ装置４００は、通信ネットワーク３００を介してカラオケ装置２００から曲データを要求されると、要求された曲データをカラオケ装置２００へ配信する。また、センタ装置４００は、カラオケ装置２００から各種データが送信されると、送信されたデータを受信してＨＤＤ装置に記憶したり、ＨＤＤ装置に記憶しているデータをカラオケ装置２００に送信したりする。
【００１２】
カラオケ装置２００は、所謂、通信型のカラオケ装置であり、通信ネットワーク３００に接続されている。カラオケ装置２００は、センタ装置４００から配信された曲データに従って楽音を表す楽音信号を生成し、生成した楽音信号を増幅してスピーカから放音する一方、マイクロホン１００から出力された音声信号を増幅してスピーカから放音する。
【００１３】
カラオケ装置２００のハードウェア構成を図３に示す。図３に示したように、アンプ２１０およびスピーカ２１１を除くカラオケ装置２００の各部はバス２０１に接続されている。Ｉ／Ｆ（InterFace）部２０６は通信ネットワーク３００に接続されており、通信ネットワーク３００を介した通信を行う際のインターフェースとして機能する。記憶部２０５は、ＨＤＤ装置（図示略）を備えており、センタ装置４００から配信された曲データを記憶する。マイクインターフェース２１２にはマイクロホン１００が接続されている。マイクロホン１００から出力された音声信号はマイクインターフェース２１２に入力された後、音源２０９へ出力される。また、マイクインターフェース２１２は、マイクロホン１００との間で各種データの授受を行うインターフェースとしても機能する。操作部２０７は、テンキーやカーソルキーなどの各種キースイッチを備えている。カラオケ装置２００のユーザは、この各種キーを操作することにより、楽曲の選曲や、音量、テンポ、エコー量、キー等の調整を行うことができる。表示部２０８は、例えば液晶ディスプレイ装置などの表示装置を備えており、ＣＰＵ２０２の制御の下、各種メッセージやメニュー画面を表示する。音源２０９は、供給される曲データに従って楽音の合成を行い、楽音を示す楽音信号を生成してアンプ２１０へ出力する。また音源２０９は、マイクインターフェース２１２から供給された音声信号を、操作部２０７によって調整された音量やエコー量などに従って加工し、加工した音声信号をアンプ２１０へ出力する。アンプ２１０は、音源から供給された楽音信号を増幅し、スピーカ２１１を介して楽音を放音すると共に、音声信号を増幅して放音する。ＣＰＵ２０２は、ＲＯＭ２０３に記憶されている制御プログラムに従い、バス２０１を介して各部を制御する。ＣＰＵ２０２が制御プログラムを実行すると、カラオケ装置２００において、マイクロホン１００から出力された各種データをセンタ装置４００へ送信する機能や、センタ装置４００から送信された各種データをマイクロホン１００へ出力する機能が実現する。
【００１４】
［実施形態の動作］
次に本実施形態の動作について説明する。
［初期設定動作］
まず、ユーザがＩＣカード１０−１をマイクロホン１００に近づけると、ＩＣカード１０−１はＩＣカード通信部１０７から発射されている電波を受信し、記憶している識別情報をマイクロホン１００へ送信する（図４：ステップＳ１０１）。この識別情報がマイクロホン１００のＩＣカード通信部１０７にて受信されると、ＣＰＵ１０２の制御の下、受信された識別情報がＩ／Ｆ部１０６を介してカラオケ装置２００へ送信される（ステップＳ１０２）。カラオケ装置２００のマイクインターフェース２１２において識別情報が受信されると、ＣＰＵ２０２は受信された識別情報をＲＡＭ２０４に格納した後、Ｉ／Ｆ部２０６を介して識別情報をセンタ装置４００へ送信する（ステップＳ１０３）。
【００１５】
カラオケ装置２００から送信された識別情報がセンタ装置４００にて受信されると、センタ装置４００は、受信した識別情報と同じ識別情報を、ＨＤＤ装置に記憶されている情報の中から検索する（ステップＳ１０４）。センタ装置４００は、受信した識別情報と同じ識別情報が見つからない場合には、識別情報が記憶されていないことを示す未記憶メッセージをカラオケ装置２００へ送信する（ステップＳ１０５）。
【００１６】
カラオケ装置２００は、未記憶メッセージを受信すると、操作部２０７が操作されるのを待つ。ここで、ユーザが操作部２０７を操作してエコー量の調整を行うと（ステップＳ１０６）、調整されたエコー量を示すエコーデータと、ＲＡＭ２０４に格納されている識別情報とがセンタ装置４００へ送信される（ステップＳ１０７）。センタ装置４００は、この識別情報とエコーデータとを受信すると、識別情報とエコーデータとを対応付けてＨＤＤ装置に記憶する（ステップＳ１０８）。このように本実施形態によれば、簡易な操作によってユーザ独自の設定をセンタ装置４００に記憶させることができる。
【００１７】
［通常使用時の動作］
次に、識別情報とエコーデータとが既にセンタ装置４００に記憶されている場合の動作について説明する。ユーザがＩＣカード１０−１をマイクロホン１００に近づけると、ＩＣカード１０−１とマイクロホン１００との間で無線通信が行われ、ＩＣカード１０−１に記憶されている識別情報がマイクロホン１００へ送信される（図５：ステップＳ２０１）。この識別情報がマイクロホン１００にて受信されると、ＣＰＵ１０２の制御の下、受信された識別情報がＩ／Ｆ部１０６を介してカラオケ装置２００へ送信される（ステップＳ２０２）。カラオケ装置２００において識別情報が受信されると、ＣＰＵ２０２は受信された識別情報をＲＡＭ２０４に格納した後、Ｉ／Ｆ部２０６を介して識別情報をセンタ装置４００へ送信する（ステップＳ２０３）。
【００１８】
カラオケ装置２００から送信された識別情報がセンタ装置４００にて受信されると、センタ装置４００は、受信した識別情報と同じ識別情報を、ＨＤＤ装置に記憶されているデータの中から検索する（ステップＳ２０４）。ここでセンタ装置４００は、受信した識別情報と同じ識別情報を見つけると、見つけた識別情報に対応付けて記憶されているエコーデータを読出し、読み出したエコーデータを、識別情報を送信してきたカラオケ装置２００へ送信する（ステップＳ２０５）。
【００１９】
センタ装置４００から送信されたエコーデータがＩ／Ｆ部２０６にて受信されると、ＣＰＵ２０２は、受信したエコーデータをマイクロホン１００へ送信し（ステップＳ２０６）、操作部２０７によって調整されているエコー量をリセットする（ステップＳ２０７）。カラオケ装置２００から送信されたエコーデータがＩ／Ｆ部１０６にて受信されると、ＣＰＵ１０２は受信したエコーデータをＲＡＭ１０４に格納する（ステップＳ２０８）。次にＣＰＵ１０２は、音声処理部１０５を制御し、ＲＡＭ１０４に格納されたエコーデータが示すエコー量が付加されるように、マイクユニット１０８から出力される音声信号を加工する（ステップＳ２０９）。この加工された音声信号は、Ｉ／Ｆ部１０６を介してカラオケ装置２００へ送られる。マイクロホン１００から出力された音声信号がカラオケ装置２００に入力されると、音声信号が表す音声、即ちエコーが付加された音声がスピーカ２１１から放音される。
【００２０】
以上説明したように本実施形態によれば、ＩＣカード１０をマイクロホン１００に近づけるという簡単な操作によりユーザ固有の設定が読み出され、ユーザが設定したように音声が加工されて出力される。このため、大勢でカラオケを楽しみ、複数人が交代で歌う場合でも、順番が回ってくるたびにカラオケ装置２００を操作して調整を行う必要がなくなり、使い勝手が向上する。また、ＩＣカード１０を近づけるだけで、すぐにユーザ固有の設定がされるため、出力される音声の調整を、楽曲の演奏が始まってからでも直に行うことができる。
【００２１】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００２２】
上述した実施形態では、マイクロホン１００の使用者を特定するために、識別情報が記憶されたＩＣカードを用いていたが、指紋を認識するセンサをマイクロホン１００に設け、認識した指紋を識別情報として使用するようにしてもよい。また、入力された音声の声紋を解析し、解析した声紋を識別情報として使用するようにしてもよい。即ち、個人を特定できる生体情報を取得して識別情報として出力するようにしてもよい。
【００２３】
例えば携帯電話機やＰＤＡ（携帯型情報端末）などの携帯型電子機器においては、赤外線を利用した近距離通信機能を備えているものがある。マイクロホン１００は、このような携帯型電子機器と通信を行い、これらの装置に記憶されている識別情報を取得するようにしてもよい。
【００２４】
上述した実施形態において、エコー量だけでなく、音量や音質、ピッチやテンポの設定を行い、設定された音量や音質、ピッチやテンポを表すデータをセンタ装置４００へ記憶させるようにしてもよい。そして、センタ装置４００に記憶されたデータをマイクロホン１００へ送信し、マイクロホン１００は、入力された音声を、送信されたデータに基づいて加工し、設定された音量や音質の音声となるように音声信号を生成して出力するようにしてもよい。
【００２５】
無線ＬＡＮなどの通信ネットワークを介して通信を行う機能をマイクロホン１００に持たせ、マイクロホン１００は、カラオケ装置２００を介さずに、無線ＬＡＮを介してセンタ装置４００からエコーデータを受信するようにしてもよい。また、マイクロホン１００とカラオケ装置２００は、音声信号や識別情報、エコーデータなどを無線通信により授受するようにしてもよい。また、エコー量、音量、音質の設定をマイクロホン１００で行えるようにし、カラオケ装置２００を使用することなく、音量、音質、エコー量などを無線ＬＡＮを介してセンタ装置４００へ送信して記憶させるようにしてもよい。
【００２６】
上述した実施形態においては、マイクロホン１００が通信型のカラオケ装置に接続される場合を例に説明したが、カラオケ装置だけでなく、会議場や公共ホールなどに設置されたマイクロホンシステムなどに接続し、設定を記憶し、記憶した設定をマイクロホン１００に送信するようにして、上述した実施形態と同様に音声の加工を行うようにしてもよい。
【図面の簡単な説明】
【００２７】
【図１】本発明の実施形態に係るカラオケシステムの全体構成図である。
【図２】同実施形態に係るマイクロホンの構成を示すブロック図である。
【図３】同実施形態に係るカラオケ装置の構成を示すブロック図である。
【図４】同実施形態の動作を説明するための図である。
【図５】同実施形態の動作を説明するための図である。
【符号の説明】
【００２８】
１０・・・ＩＣカード、１００・・・マイクロホン、１０１・・・バス、１０２・・・ＣＰＵ、１０３・・・ＲＯＭ、１０４・・・ＲＡＭ、１０５・・・音声処理部、１０６・・・Ｉ／Ｆ部、１０７・・・ＩＣカード通信部、１０８・・・マイクユニット、２００・・・カラオケ装置、２０１・・・バス、２０２・・・ＣＰＵ、２０３・・・ＲＯＭ、２０４・・・ＲＡＭ、２０５・・・記憶部、２０６・・・Ｉ／Ｆ部、２０７・・・操作部、２０８・・・表示部、２０９・・・音源、２１０・・・アンプ、２１１・・・スピーカ、２１２・・・マイクインターフェース、３００・・・通信ネットワーク、４００・・・センタ装置。
【図１】
2006171083.tif 000003
【図２】
2006171083.tif 000004
【図３】
2006171083.tif 000005
【図４】
2006171083.tif 000006
【図５】
2006171083.tif 000007